(57)【要約】【課題】防振ダンパの気温差による防振性能の変化を小さくする。【解決手段】外槽３を下方から弾性支持する防振ダンパ７の上下端に軸部１０ａ、１０ｂを設け、上端を外槽３の取付具１１ａに、下端を筐体１の取付具１１ｂに各々緩衝ゴム１２を介して固定し、防振ダンパ７の固定部に軸部１０ａ、１０ｂを取り囲むように空気を充填した中空部を有する環状の薄膜体１４を設けたものである。【選択図】図３
2011004839.tif 000002
【特許請求の範囲】
【請求項１】
筐体と、前記筐体内に弾性支持した外槽と、前記外槽内に回転可能に設けた筒状のドラムと、前記ドラムを回転駆動する駆動手段と、前記外槽を下方から弾性支持するばねと前記外槽の振動を抑制するダンパを有する防振ダンパとを備え、前記防振ダンパは、上下端に軸部を有し、上端が前記外槽の取付具に、下端が前記筐体の取付具に各々緩衝ゴムを介して固定され、前記防振ダンパの固定部に前記軸部を取り囲むように空気を充填した中空部を有する環状の薄膜体を設けた洗濯機。
【請求項２】
緩衝ゴムを防振ダンパの軸部を取り囲むように環状に設け、薄膜体は、前記防振ダンパの軸部と緩衝ゴムとの間に位置するように構成した請求項１記載の洗濯機。
【請求項３】
緩衝ゴムを取付具に対して上下方向に重設し、薄膜体は、前記取付具と前記緩衝ゴムとの間に配設した請求項１または２記載の洗濯機。
【発明の詳細な説明】
【技術分野】
【０００１】
本発明は、衣類等の洗濯を行う洗濯機に関するものである。
【背景技術】
【０００２】
従来、この種の洗濯機は、図５に示すように、回転ドラム１０１は回転軸心が前上がりに傾斜した状態で外槽１０２内に回転自在に配設されており、回転ドラム１０１内に洗濯物を収容して回転させると、洗濯物や水が背面側に偏りがちになるため振動が発生しやすくなる。特に、回転ドラム１０１を高速回転させる脱水工程時は、回転ドラム１０１内の洗濯物が偏った位置に集まっていると、回転ドラム１０１を収容する外槽１０２に大きな振動が発生する。このような回転ドラム１０１の回転に伴う振動を抑制するため、緩衝力の大きな防振ダンパ１０３によって外槽１０２を支持し振動を低減している。防振ダンパ１０３は、図６に示すように、ばね１０４とダンパ１０５から構成されており、その上端と下端には、防振用の緩衝ゴム１０６が設けられている（例えば、特許文献１参照）。
【先行技術文献】
【特許文献】
【０００３】
【特許文献１】特開２００５−１３７６４３号公報
【発明の概要】
【発明が解決しようとする課題】
【０００４】
しかしながら、前記従来の構成では、防振用に緩衝ゴム１０６を用いているため、周囲の気温の変化により、緩衝ゴム１０６の特性が変化して洗濯機の振動性能が変化するという問題があり、緩衝ゴム１０６の特性を考慮して設定される。例えば、緩衝ゴム１０６の硬度は硬いほど、脱水起動時の外槽１０２の大きな振動を低減するのに効果的であるが、外気温が低いときは、緩衝ゴム１０６の硬度が硬くなって、脱水定常時の筐体１０７の振動が大きくなるという問題が生じる。
【０００５】
そして、緩衝ゴム１０６の硬度を柔らかくすると、脱水起動時の外槽１０２の振動が大きくなり、加えて、外気温が高いときは、さらに緩衝ゴム１０６が柔らかくなって、振動がさらに悪くなるという問題があり、地域差や気温差等、設置環境によって洗濯機の防振性能を良好に維持することが難しいという課題があった。
【０００６】
本発明は、前記従来の課題を解決するもので、設置環境の変化に対して防振性能を良好に維持することができる洗濯機を提供することを目的とする。
【課題を解決するための手段】
【０００７】
前記従来の課題を解決するために、本発明の洗濯機は、外槽を下方から弾性支持する防振ダンパを備え、前記防振ダンパは、上下端に軸部を有し、上端が前記外槽の取付具に、下端が筐体の取付具に各々緩衝ゴムを介して固定され、前記防振ダンパの固定部に前記軸部を取り囲むように空気を充填した中空部を有する環状の薄膜体を設けたものである。
【０００８】
これによって、薄膜体内部の空気の気温による薄膜体の体積変化により、緩衝ゴムの変形の自由度（変形のしやすさ）をコントロールすることができる。つまり、低温時は、薄膜体が収縮し、それと接する緩衝ゴムの変形自由度を大きくすることによって軟らかさを維持し、一方、高温時は、薄膜体が膨張して緩衝ゴムの変形自由度を制限し、硬さを維持して緩衝ゴムの特性の変化を緩和することができ、設置環境の気温差による防振性能の変化を小さくすることができる。
【発明の効果】
【０００９】
本発明の洗濯機は、設置環境の気温差による防振性能の変化を小さくして良好に維持することができる。
【図面の簡単な説明】
【００１０】
【図１】本発明の実施の形態１における洗濯機の断面図
【図２】同洗濯機の防振ダンパの構成図
【図３】同洗濯機の防振ダンパの取付部の構成図
【図４】本発明の実施の形態２における防振ダンパの取付部の構成図
【図５】従来の洗濯機の構成図
【図６】同洗濯機の防振ダンパの構成図
【発明を実施するための形態】
【００１１】
第１の発明は、筐体と、前記筐体内に弾性支持した外槽と、前記外槽内に回転可能に設けた筒状のドラムと、前記ドラムを回転駆動する駆動手段と、前記外槽を下方から弾性支持するばねと前記外槽の振動を抑制するダンパを有する防振ダンパとを備え、前記防振ダンパは、上下端に軸部を有し、上端が前記外槽の取付具に、下端が前記筐体の取付具に各々緩衝ゴムを介して固定され、前記防振ダンパの固定部に前記軸部を取り囲むように空気を充填した中空部を有する環状の薄膜体を設けたことにより、低温時は、薄膜体が収縮し、それと接する緩衝ゴムの変形自由度を大きくすることによって軟らかさを維持し、一方、高温時は、薄膜体が膨張して緩衝ゴムの変形自由度を制限し、硬さを維持して緩衝ゴムの特性の変化を緩和することができ、設置環境の気温差による防振性能の変化を小さくすることができる。
【００１２】
第２の発明は、特に、第１の発明の緩衝ゴムを防振ダンパの軸部を取り囲むように環状に設け、薄膜体は、前記防振ダンパの軸部と緩衝ゴムとの間に位置するように構成したことにより、設置環境の気温差に対して、水平方向の振動に防振効果を発揮することができる。
【００１３】
第３の発明は、特に、第１または第２の発明の緩衝ゴムを取付具に対して上下方向に重設し、薄膜体は、前記取付具と前記緩衝ゴムとの間に配設したことにより、設置環境の気温差に対して、上下方向の振動に防振効果を発揮することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における洗濯機の断面図、図２は、同防振ダンパの構成図、図３は、同防振ダンパの取付部の構成図である。
【００１６】
図１〜図３に示すように、筐体１の内部には、複数のサスペンション２によって弾性的に支持された円筒状の外槽３を設け、洗濯、脱水時の振動をサスペンション２によって吸収する。外槽３の内部には衣類４を収容する有底円筒状のドラム５を回転可能に設け、駆動モータ６により回転駆動される。また、外槽３は下方から防振ダンパ７によって支持されている。
【００１７】
防振ダンパ７は、上部に設けたコイル状のばね８と、このばね８の下方に設けた筒状のダンパ９を有し、その上端と下端に設けた軸部１０ａ、１０ｂで、外槽３および筐体１に設けた取付具１１ａ、１１ｂに対して、各々緩衝ゴム１２を介してナット１３ａ、１３ｂ
等で固定している。緩衝ゴム１２は、防振効果のあるゴムで構成し、取付具１１ａ、１１ｂの両側に挟み込むように介在させている。
【００１８】
緩衝ゴム１２は、防振ダンパ７の軸部１０ａ、１０ｂを取り囲むように環状に設けている。軸部１０ａ、１０ｂを取り囲むように空気を充填した中空部を有する環状の薄膜体１４を設け、薄膜体１４は、防振ダンパ７の軸部１０ａ、１０ｂと緩衝ゴム１２との間に位置するように配設し、取付具１１ａ、１１ｂの両側に設けている。薄膜体１４は、伸縮自在な材料で振動および衝撃に対して堅牢に構成してあり、外気温度の変化により収縮膨張自在である。
【００１９】
外槽３およびドラム５は、筐体１内に前上がり傾斜して設けてあり、ドラム５の回転軸は１０〜３０度傾斜している。筐体１の前面には、衣類４を出し入れする開口部１ａと、これを開閉する扉１５が設けられている。外槽３およびドラム５の前面側にも同様の開口部３ａ、５ａを有し、この外槽３の開口部３ａはベローズ１６によって筐体１の開口部１ａと水密に連結されている。外槽３の底部には洗濯水を排出する排水口１７を有し、排水弁１８に連結されている。
【００２０】
外槽３には溢水口１９が設けられ、所定の水位以上に水が供給されると溢水口１９から溢れ、水は溢水ホース２０を介して排水ホース２１へ流れて機外に排出される。また、制御手段２２は、駆動モータ６、排水弁１０等を駆動して洗濯、すすぎ、脱水の各工程を逐次制御する。
【００２１】
以上のように構成した本発明の動作について説明する。洗濯工程では、排水弁１０を閉じた状態で外槽３内に所定の水位に達するまで給水を行い、駆動モータ６により衣類４と洗浄水の入ったドラム５を回転させて衣類４の洗濯を行う。洗濯後の濯ぎ工程でも、洗濯工程と同様に外槽３内に給水を行い、ドラム５を回転させて衣類４の濯ぎを行う。脱水工程では、排水弁１０を開いて機外へ水を排水した後、駆動モータ６により衣類４の入ったドラム５を高速回転して脱水する。
【００２２】
次に、本発明の防振ダンパ７の作用について説明する。周囲温度が低い時は、緩衝ゴム１２は硬くなって変形し難くなるが、薄膜体１４が収縮するため、それと接する緩衝ゴム１２の変形の自由度が大きくなり、接続部の剛性が大きくなりすぎるのが抑えられる。逆に、周囲温度が高い時には、緩衝ゴム１２は柔らかくなり、緩衝ゴム１２自体は変形しやすくなるが、薄膜体１４は膨張するため、緩衝ゴム１４の変形の自由度は制限される。
【００２３】
上記のような薄膜体１４の作用により、緩衝ゴム１２が柔らかくなっても、変形の自由度は膨張した薄膜体１４によって制限されるため、接続部の剛性の低下を抑えることができる。したがって、緩衝ゴム１２が周囲温度により硬度が変化して、緩衝ゴム１２の特性が変化することによる影響を小さくすることができ、設置環境の気温差による防振性能の変化を小さくして洗濯機の防振性能を良好に維持することができる。
【００２４】
また、薄膜体１４は、防振ダンパ７の軸部１０ａ、１０ｂと緩衝ゴム１２との間に位置するように構成したことにより、設置環境の気温差による薄膜体１４の膨張と収縮作用を緩衝ゴム１２に対して、水平方向へ作用させることができ、水平方向の振動に防振効果を発揮することができる。
【００２５】
なお、薄膜体１４は防振ダンパ７の下端に設けた例を図３に示しているが、軸部１０ａ、１０ｂの両側に設けた構成としてもよい。
【００２６】
（実施の形態２）
図４は、本発明の第２の実施の形態における防振ダンパ７の取付部の構成を示したものである。本実施の形態の特徴は、緩衝ゴム１２を取付具１１ｂに対して上下方向、すなわち、防振ダンパ７の伸縮方向に重設し、薄膜体１４を取付具１１ｂと緩衝ゴム１２との間に配設したものである。他の構成は第１の実施の形態と同じであり、詳細な説明は実施の形態１のものを援用する。
【００２７】
上記の構成によれば、設置環境の気温差による薄膜体１４の膨張と収縮作用を、緩衝ゴム１２に対して上下方向へ作用させることができ、上下方向の振動に防振効果を発揮することができる。
【００２８】
なお、洗濯機の振動は、上下、左右、前後のあらゆる方向に振動するため、薄膜体１４の膨張と収縮作用を緩衝ゴム１２に対して、上下方向と水平方向の両方へ作用させることにより、設置環境の気温差に対して、全ての方向の振動に防振効果を発揮することができる。
【産業上の利用可能性】
【００２９】
以上のように、本発明にかかる洗濯機は、設置環境の気温差による防振性能の変化を小さくして良好に維持することができるので、洗濯機等として有用である。
【符号の説明】
【００３０】
１  筐体
３  外槽
５  ドラム
６  駆動モータ
７  防振ダンパ
８  ばね
９  ダンパ
１０ａ  軸部
１０ｂ  軸部
１１ａ  取付具
１１ｂ  取付具
１２  緩衝ゴム
１４  薄膜体
【図１】
2011004839.tif 000003
【図２】
2011004839.tif 000004
【図３】
2011004839.tif 000005
【図４】
2011004839.tif 000006
【図５】
2011004839.tif 000007
【図６】
2011004839.tif 000008